(57)【要約】【課題】翼型風路偏向板の強度が高く、組み付け性が良く、取り扱い安全性が高い防雪柵の提供を目的とする。【解決手段】翼形風路偏向板は、上・下パネル材を、前縁部材と中間部材と後縁部材とで湾曲して固定して翼形状に形成するための、前・後縁部材は、上面側に上パネル差込部を、下面側に下パネル差込部をそれぞれ有し、上パネル材は、その端部を前・後縁部材の上パネル差込部にそれぞれ差込んで、前縁部材と中間部材及び後縁部材の上面側に固定してあり、下パネル材は、その端部を前・後縁部材の下パネル差込部にそれぞれ差込んで、前縁部材と中間部材及び後縁部材の下面側に固定してあり、翼型風路偏向板を、上下に間隔をあけて支柱に支持してある防雪柵とした。  また、翼型風路偏向板の前縁部材同士又は後縁部材同士の、いずれか又は両方を連結部材により連結しても良い。【選択図】  図２
2005232722.tif 000002
【特許請求の範囲】
【請求項１】
複数の翼型風路偏向板と、支柱とを備え、
翼型風路偏向板は、上・下パネル材と前縁部材と中間部材と後縁部材とを備え、
前・後縁部材は、上面側に上パネル差込部を、下面側に下パネル差込部をそれぞれ有し、
上パネル材は、その端部を前・後縁部材の上パネル差込部にそれぞれ差込んで、前縁部材と中間部材及び後縁部材の上面側に固定してあり、
下パネル材は、その端部を前・後縁部材の下パネル差込部にそれぞれ差込んで、前縁部材と中間部材及び後縁部材の下面側に固定してあり、
翼型風路偏向板を、上下に間隔をあけて支柱に支持してあることを特徴とする防雪柵。
【請求項２】
翼型風路偏向板の前縁部材同士又は後縁部材同士の、いずれか又は両方を連結部材により連結していることを特徴とする請求項１記載の防雪柵。
【請求項３】
中間部材の両端部に支柱への取付具を備えたことを特徴とする請求項１又は請求項２記載の防雪柵。
【発明の詳細な説明】
【技術分野】
【０００１】
本発明は、道路に沿って設置し、風雪の流れを変えることにより車両運転者の風雪による視程障害を防いだり、風上から道路に向かって流れる風の向きを道路面に吹き降ろすように偏向させて道路面に堆積した雪を吹き払う防雪柵に関する。
【背景技術】
【０００２】
冬季積雪地方においては、道路に沿って、所定の間隔を隔てて支柱を立設し、この支柱間に、翼型の防雪板を横方向に取り付けた防雪柵を設置している。
この種の防雪柵は風向きを変える風路偏向板の風の吹き込み側を高くなるように傾斜を設けて、横方向に取付て柵を通過する風を斜め下向きの流れに偏向することで、道路に積もった雪を吹き払ったり、吹雪の流れを車両運転者の目の高さ以下に偏向することで、走行視界を確保できる作用がある。
特開平１０−３３８９０９号公報、特開２００２−２２７１３６号公報には、風向き（風路）を下向きに偏向する効果を向上する目的で、翼型風路偏向板に関する技術が開示されている。
【０００３】
従来の翼型風路偏向板は、例えば、図１１に示すように、鋼板等のパネル材１１１を翼の枠材１１３にリベット１１３ｇやビス止めしていたので、パネルの端部が浮き上がり、枠材とパネルの間に隙間ｓが発生したり、パネルの最適形状を保持するのが困難であった。
特開２００２−２２７１３６号公報にはＦＲＰ製の断面形状中空翼が開示してあるが、ＦＲＰ製では、中空断面を形成する工数が多く、作業性も良くない。
【０００４】
【特許文献１】特開平１０−３３８９０９号公報
【特許文献２】特開２００２−２２７１３６号公報
【発明の開示】
【発明が解決しようとする課題】
【０００５】
本発明は、上記背景技術に内在する課題を解決すべく、翼型風路偏向板の強度が高く、組み付け性が良く、取り扱い安全性が高い防雪柵の提供を目的とする。
【課題を解決するための手段】
【０００６】
請求項１記載にかかる発明の防雪柵は、複数の翼型風路偏向板と、支柱とを備え、翼型風路偏向板は、上・下パネル材と前縁部材と中間部材と後縁部材とを備え、前・後縁部材は、上面側に上パネル差込部を、下面側に下パネル差込部をそれぞれ有し、上パネル材は、その端部を前・後縁部材の上パネル差込部にそれぞれ差込んで、前縁部材と中間部材及び後縁部材の上面側に固定してあり、下パネル材は、その端部を前・後縁部材の下パネル差込部にそれぞれ差込んで、前縁部材と中間部材及び後縁部材の下面側に固定してあり、翼型風路偏向板を、上下に間隔をあけて支柱に支持してあることを特徴とする。
【０００７】
ここで、上パネル材とは翼の上側面を形成する板材をいい、下パネル材とは、翼の下側面を形成する板材をいう。
前縁部材とは、翼型風路偏向板の風吹き込み側の枠部材をいい、後縁部材とは翼型風路偏向板の道路側の枠部材をいう。
前縁部材及び後縁部材の上面側と下面側にはそれぞれ、上・下パネル材の端部を差し込む上・下パネル差込部を有しているので、上パネル材と下パネル材の前側端部と後側端部をそれぞれ、前縁部材及び後縁部材の上下パネル差込部に差し込み、前縁部材と後縁部材との間に位置する中間部材に、上パネル材と下パネル材とを固定することで、翼形の形状を形成することができる。
【０００８】
上・下パネル材の前・後端部を前・後縁部材の上・下パネル差込部に差し込んだ後は、リベットやビス等で固定する。
【０００９】
請求項２記載の発明にかかる防雪柵は、翼型風路偏向板（以下、風路偏向板という）の前縁部材同士又は後縁部材同士の、いずれか又は両方を連結部材により連結していることを特徴とする。
なお、支柱間に横材を掛け渡し、この横材に、最上段の風路偏向板または最下段の風路偏向板を連結しても良い。
【００１０】
請求項３記載の発明にかかる防雪柵は、中間部材の両端部に支柱への取付具を備えたことを特徴とする。
【発明の効果】
【００１１】
本発明においては、上・下パネル材を、前縁部材と中間部材と後縁部材とで湾曲させて固定し翼形状を形成する際に、上・下パネル材の前側端部を前縁部材の上・下パネル差込部に差し込み、上・下パネル材の後側端部を後縁部材の上・下パネル差込部に差し込み、前縁部材と後縁部材との間隔を狭くするように押圧して中間部材で固定するので、パネル材をプレス成形することなく、翼形状の形成を安定して得ることができ、組み立てやすい。
パネル材の端部を、前・後縁部材のパネル差込部にて隠すように覆う状態になるので、パネル材の端部が浮き上がるのを防止でき、パネル材のエッジで、怪我するような危険性もない。
さらには、パネル材の端部全長に亘って、前縁部材及後縁部材のパネル差込部で差し込み固定するので、翼の剛性が向上する。
また、複数の風路偏向板を上下方向に、所定の間隔を隔てて立設した支柱を用いて支持した場合に、風路偏向板の前縁部材同士又は後縁部材同士を連結部材で連結すると、風路偏向板の風圧による回転を抑えることができ、複数の風路偏向板を相互に連結しているので、風路偏向板の脱落、破損を防止できる。
中間部材の両端部に支柱への取付具を備えると、支柱に風路偏向板を取り付ける際の取り扱いが容易になる。
【発明を実施するための最良の形態】
【００１２】
本発明の実施の形態例を以下、図面に基づいて説明する。
図１に本発明に係る防雪柵の例の外観斜視図を示す。
基礎３に支柱固定金具２を用いて支柱１、１が所定の間隔を隔てて立設している。
支柱１には風路偏向板（防雪板）１０を横方向に複数枚段状に取り付けている。
なお、図１に示す例は、風路偏向板が４枚の例を示しているが、少なくとも２枚以上であれば、数に制限はない。
吹雪や、風は道路側に向かって吹いた場合に、風路偏向板１０により、道路路面上に向けて、斜め下向きの風や風雪に偏向する。
これにより、道路に積もった雪が吹き飛ばされたり、吹雪が車両運転手の目の高さより下側に偏向し、視程障害の発生を防止できる。
【００１３】
図２に示した例は、上下の風路偏向板１０の後縁部材を連結部材６で連結した例を示す。
風路偏向板１０が風の吹き込み側を上にして、傾斜して支柱に取り付いているので、風が当たると回転ねじれ方向の力が働く。
そこで、廻り止めや、風路偏向板の脱落を防止する目的で、複数の風路偏向板を連結したものである。
なお、図２に示す例は、後縁部材で、連結しているが、前縁部材でも良い。
また、支柱間に横材５を掛け渡し、連結部材７で、最上段又は最下段の風路偏向板を連結すると、いわゆるトラスト構造になり、廻り防止や脱落防止が向上する。
図９に、部分拡大図を示すように、個々の風路偏向板の上側翼形状に沿って、ブラケット１６を取付、このブラケット間に連結部材６をボルト等の固定部材６ａで連結固定したものである。
【００１４】
図３に、風路偏向板１０の断面図を示す。
鋼板等の上パネル材１１と下パネル材１２とを、前縁部材（枠部材）１３と後縁部材（枠部材）１５と中間部材１４で固定し翼形状を形成している。
ここで、中間部材１４は、前縁部材１３と後縁部材１５との間に設けて翼形状を形成する趣旨であり、中央部の意味ではない。
【００１５】
図４〜図６に基づいて翼型風路偏向板の組み立て例を示す。
図５は、パネル材の前側端部を、アルミ押出形材等で成形した前縁部材に挿入組み付けする手順を示し、図６にパネル材の後側端部を、アルミ押出形材等で成形した後縁部材に挿入組み付けする手順を示す。
図５に示すように、前縁部材１３の上面側には上パネル材の前側端部を差し込む上パネル差込部１３Ｕを有している。
ポケット状の上パネル差込部１３Ｕには差込凹部１３ｃを有していて差込部開口幅ｄがパネル材の厚みｔより大きく、図５（ｂ）に示すように、上パネル材１１の前側端部１１ａを斜めに挿入しやすくしてある。
図５（ｃ）に示すように上パネル材を下方向に倒すと、パネル内側受け部１３ｂと、パネル端部を外側から系止する係止辺部１３ａを形成しているので、そのまま系止でき、リベット等の連結部材１３ｇで連結固定する。
なお、上パネル内側受け部１３ｂの面形状は上パネル材の湾曲形状に沿うように形成している
図５（ｄ）に示すように、下パネル材１２も同様に組み立てる。
前縁部材１３の下面側には下パネル材の前側端部を差し込む下パネル差込部１３Ｌを有している。
また、下パネル内側受け部１３ｅと、下パネル端部を外側から系止する係止辺部１３ｄを形成しているのも上パネル差込部と同様の趣旨である。
【００１６】
図６には、後縁部材１５にパネル材を組み付ける例を示す。
ポケット状の上パネル差込部１５Ｕには差込凹部１５ｃを形成していて、開口幅ｄはパネル材の厚みｔより大きく、図６（ｂ）に示すように、上パネル材１１の後側端部１１ｂを斜めに挿入しやすくしてある。
図６（ｃ）に示すように上パネル材を下方向に倒すと、上パネル内側受け部１５ｂと、パネル端部を外側から系止する係止辺部１５ａを形成しているので、そのまま系止でき、リベット等の連結部材１５ｇで連結固定する。
また、上パネル内側受け部１５ｂの面形状は上パネル材の湾曲形状に沿うように形成している。
図６（ｄ）に示すように、下パネル材１２も同様に組み立てる。
後縁部材１５には下パネル材の後側端部を差し込む差込部１５Ｌを有している。上パネル差込部と同様に、差込部の前後に、下パネル内側受け部１５ｅと、パネル端部を外側から系止する係止辺部１５ｄを形成している。
【００１７】
図４に示した例は、中間部材１４の上面に上パネル材１１を固定し、下面に下パネル材１２を固定する方法としてブラケット１６の取付を兼ねて、ボルト・ナット等の固定部材（１８、１８ａ）を用いたものであるが、ブラケットが無い状態で固定しても良い。
従って、ブラケット１６は必ずしも必要ではないが、翼の形状を保持するように作用し、上下の風路偏向板を連結する連結部材を取り付けるのにも用いることができる。
風路偏向板（翼）の前縁部材１３及び後縁部材１１５とブラケット１６はそれぞれ、ボルト１７、１９及びナット１９ａ等で固定する。
【００１８】
図７に示す例は、翼の中空部に、翼の形状を形成する中間部材の役割を兼ねた支柱への取付部材２０を挿入し、ボルト等で、翼（風路偏向板）に固定している例であるが、図３に示したようにアルミ押出形材製の中間部材１４で上・下パネル材を固定して翼形状を形成し、この中間部材とは別に支柱への取付金具を翼の両端に取り付けても良い。
中間部材を兼ねた支柱取付部材２０の端部には取付金具２１を取付、支柱１側に形成した取付ブラケット４に設けた２段の取付孔４ａ、４ｂに、この取付金具２１の連結ピン２１ａを差込んで防雪柵となる。
ここで、取付金具２１は、図８に示すように、風路偏向板に所定の傾斜を設けて支柱に取り付けるために、斜めになるように連結ピン２１ａを形成している。
取付金具２１は取付金具の取付孔２１ｂと、中間部材２０の端部の連結孔２０ｃとをボルト及びナット等の固定部材（２０ａ、２０ｂ）で連結固定する。
従って、取付ブラケット４に２段に取付孔４ａ、４ｂを形成しているので、取付金具２１の連結ピン２１ａを差込むだけで、所定の傾斜を設けて風路偏向板１０を支柱に取り付けることができる。
【００１９】
図１０には風の横方向の向きを変える整流板２２、２３を取り付けた例を示す。
図１０（ａ）は、風が横方向斜めに吹いてきた場合の整流板２２を翼の上面に取り付けた風路偏向板１０ａの例で、図１０（ｂ）は整流板２３を翼の下面に取り付けた風路偏向板１０ｂの例を示す。
なお、整流板の取り付ける枚数に制限はなく、先のブラケット１６に整流作用を持たせても良く、翼の端部に取り付けても良い。
【図面の簡単な説明】
【００２０】
【図１】本発明に係る防雪柵の例を示す。
【図２】本発明に係る防雪柵の他の例を示す。
【図３】風路偏向板（翼）の断面図を示す。
【図４】風路偏向板（翼）へのブラケット取付例を示す。
【図５】パネル材を前縁部材に組み付ける手順を示す。
【図６】パネル材を後縁部材に組み付ける手順を示す。
【図７】風路偏向板を支柱に取り付ける例を示す。
【図８】翼の横方法の支持部材と取付金具の組み立て例を示す。
【図９】廻り止め部材の取付例を示す。
【図１０】整流板の取付例を示す。
【図１１】従来の翼組み立て例を示す。
【符号の説明】
【００２１】
１    支柱
２    取付金具
３    基礎
４    支柱側の取付ブラケット
５    支柱間の横材
６、７  連結部材
１０    風路偏向板（翼）
１１    上パネル材
１２    下パネル材
１３    前縁部材
１４    中間部材
１５    後縁部材
１６    ブラケット
１７、１８、１９  固定部材
２０    翼の中間部材を兼ねた支柱取付部材
【図１】
2005232722.tif 000003
【図２】
2005232722.tif 000004
【図３】
2005232722.tif 000005
【図４】
2005232722.tif 000006
【図５】
2005232722.tif 000007
【図６】
2005232722.tif 000008
【図７】
2005232722.tif 000009
【図８】
2005232722.tif 000010
【図９】
2005232722.tif 000011
【図１０】
2005232722.tif 000012
【図１１】
2005232722.tif 000013